(57)【特許請求の範囲】
【請求項１】
走行車輪を有する機体の後方にロータリを配置し、エンジンからの回転を前記走行車輪及び前記ロータリに伝達してなる、農用管理機において、
前記ロータリの上方を覆うロータリカバーを、前記機体に固定して配置し、
該ロータリカバーに、尾ソリ調節部及び作業機調節部を有する取付け部材を着脱自在に取付け、
前記取付け部材は、前記ロータリカバーに沿って形成され、前記ロータリカバーに着脱自在に支持される取付け面と、
前記取付け面に固定され、断面コ字状に折曲されて前記ロータリカバーとの間で中空部を形成する板状部材と、
前記中空部を、前記作業機調節部が断面矩形状からなるように前記尾ソリ調節部と前記作業機調節部に仕切る補強板と、を有する、
ことを特徴とする農用管理機。
【発明の詳細な説明】
【技術分野】
【０００１】
本発明は、走行車輪を有する機体の後方にロータリを配置した農用管理機に係り、詳しくは、ロータリカバーに尾輪体又は作業機を取付ける取付け装置に関する。
【背景技術】
【０００２】
従来、歩行型管理機において、前記ロータリの上部を覆うロータリカバーの下部に配置され、該ロータリカバーを取付けるためのブラケットを機体に一体に設け、該ブラケットにピンを植設して、前記ピンによって尾ソリを上下移動自在に案内支持する農用管理機が知られており（特許文献１参照）、該農用管理機は、前記ロータリカバーに、尾ソリ及び抵抗棒を調節自在に設けている。
【先行技術文献】
【特許文献】
【０００３】
【特許文献１】特許第３６２３３８９号公報
【発明の概要】
【発明が解決しようとする課題】
【０００４】
前記農用管理機は、尾ソリ取付け部に、尾ソリに代えて尾輪体を取付けることが可能であるが、培土器や畝立て器等の作業機を前記尾ソリ取付け部に取付けるのは困難である。また、前記ロータリカバーの上面に尾ソリ取付け部を備え、該尾ソリ取付け部に作業機取付け部材を溶接等により追加して、作業機を取付けるものがあるが、作業機毎の取付け部材を別個に前記尾ソリ取付け部に設ける必要がある。
【０００５】
このため、様々な作業機を取付ける為に、従来はそれら作業機毎の取付け部材を取付けなくてはならず、コストダウンの妨げになっていると共に、該取付け部材を個別に追加しているため、各種の作業機を必要に応じて取付けることができない。
【０００６】
そこで、本発明は、作業機等を必要に応じて交換可能に取付け得る取付け部材をロータリカバーに設け、作業機毎の取付け部材の共通化を図って、上記課題を解決した農用管理機を提供することを目的とするものである。
【課題を解決するための手段】
【０００７】
本発明は、上述事情に鑑みなされたものであって、走行車輪（５）を有する機体（６）の後方にロータリ（３）を配置し、エンジン（８）からの回転を前記走行車輪（５）及び前記ロータリ（３）に伝達してなる、農用管理機（１）において、
前記ロータリ（３）の上方を覆うロータリカバー（１４）を、前記機体（６）に固定して配置し、
該ロータリカバー（１４）に、尾ソリ調節部（２６）及び作業機調節部（２７）を有する取付け部材（２３）を着脱自在に取付け、
前記取付け部材（２３）は、前記ロータリカバー（１４）に沿って形成され、前記ロータリカバー（１４）に着脱自在に支持される取付け面（２３ａ）と、
前記取付け面（２３ａ）に固定され、断面コ字状に折曲されて前記ロータリカバー（１４）との間で中空部（Ａ）を形成する板状部材（２３ｂ）と、
前記中空部（Ａ）を、前記作業機調節部（２７）が断面矩形状からなるように前記尾ソリ調節部（２６）と前記作業機調節部（２７）に仕切る補強板（２５）と、を有することを特徴とする。
【０００９】
なお、上述カッコ内の符号は、図面と対照するものであるが、何ら本発明の構成を限定するものではない。
【発明の効果】
【００１０】
請求項１に係る本発明によると、ロータリカバーに、尾ソリ調節部及び作業機調節部を有する取付け部材を取付けたので、同じ取付け部材により、尾ソリの外に、必要に応じて尾輪体又は各種作業機を装着することが可能となる。また、前記取付け部材を取外し可能な構成にしたため、既存の農用管理機にも装着可能である。
【００１１】
また、前記取付け部材は、板状部材により形成された中空部を、補強板により前記尾ソリ調節部と前記作業機調節部に仕切るので、簡単な構造で容易に形成できると共に、堅牢に構成でき、また前記作業機調節部が断面矩形状からなるので、尾輪体又は作業機の支持部の形状が断面丸形や矩形等に拘らずに対応でき、各種の作業機が装着可能である。
【図面の簡単な説明】
【００１２】
【図１】本発明の実施の形態の農用管理機の斜視図である。
【図２】ロータリカバーの斜視図である。
【図３】取付け部材の斜視図である。
【発明を実施するための形態】
【００１３】
以下、図面に沿って、本発明の実施の形態例について説明する。図１は、本発明の実施の形態の農用管理機１の斜視図であり、農用管理機１は、走行部２とロータリ３とが該ロータリ３を後方側に配置して一体的に構成されている。走行部２は、左右に延設された車軸４に軸架された一対の走行車輪５を備え、該走行車輪５に支持された機体６は、ミッションケース７を有し、かつ動力源としてのエンジン８及び燃料タンク９、が搭載され、側部にベルト伝動装置１０が配置されている。
【００１４】
また、機体６上部後端からは、機体６の走行方向を操作する平面視でループ状をなすハンドルフレーム１１が後ろ上方に延在するように配設されており、該ハンドルフレーム１１に配置された不図示のスロットルレバーにより上記エンジン８の回転数が調整され、エンジン８の出力が上記ベルト伝動装置１０及びミッションケース７内のミッションを介して車軸４に伝達されて回転駆動される。
【００１５】
一方、上記ロータリ３は、ミッションケース７から左右方向に延設されたロータリ軸１２と、ロータリ軸１２に固定されて圃場を耕すロータリ爪１３と、を有し、該ロータリ爪１３は、上記ロータリ軸１２の周囲に多数装着され一体に回転する。ロータリ軸１２及びロータリ爪１３は、ミッションを介して伝動されるエンジン８の出力により回転駆動される。
【００１６】
図１に示すように、前記ロータリ３の上方を覆うように、ロータリカバー１４が前記機体６に固定されて配置されている。該ロータリカバー１４は、機体６に固設されている中央部１４ａと、該中央部１４ａとヒンジ１５で連結され自在に開閉する両側部１４ｂと、で構成される。両側部１４ｂの後部下端には、一対の主にゴム板からなる後方カバー１６，１６がそれぞれ備えられている。該後方カバー１６，１６は、中央側がそれぞれ下方に向いて幅広となるように台形状からなり、ロータリカバー１４の中央部１４ａの下部で重なるように配設されている。
【００１７】
図２及び図３に示すように、該中央部１４ａには、鉛直方向に細長のプレート１７が接合され、該プレート１７にはノブボルト１８が回転自在に支持されている。上記両側部１４ｂには、同形状の２枚の弧状プレート１９，１９の一端がビス２０，２０でそれぞれ支持され、該弧状プレート１９，１９のその他端側には複数の凹部を持つ長孔１９ａ，１９ａが設けられている。上記ビス２０，２０から最も遠い長孔の凹部１９ｂ，１９ｂが重なるように２枚の弧状プレート１９，１９が交差し、該凹部１９ｂ，１９ｂにノブボルト１８が嵌挿され、それが上記両側部１４ｂの閉状態となる。両側部１４ｂを開状態にしたい時には、弧状プレート１９，１９を耕耘軸方向に略水平移動し、長孔１９ａ，１９ａにおいてノブボルト１８が当接する凹部を変更した上で、該ノブボルト１８で固定する。
【００１８】
上記中央部１４ａ後方には、尾ソリ２１及び尾輪体２２の取付け部材２３が、その取付け面２３ａと４つのボルト２４・・・によって着脱自在に支持されており、ロータリカバー１４の両側部１４ｂの開閉に干渉されることなく配置されている。上記取付け部材２３は、断面コ字状に折曲された板状部材２３ｂを有し、該板状部材２３ｂの先端が前記取付け面２３ａに固着されて、中空部Ａを形成している。該中空部Ａは、補強板２５により前部及び後部に仕切られており、前部が尾ソリ調節部２６、後部が作業機調節部２７をそれぞれ形成している。本実施の形態例においては該作業機調節部２７に尾輪体２２が嵌挿されているが、用途によって尾輪体２２の代わりに培土器や畝立て器等の作業機を嵌挿し取付けても良い。
【００１９】
上記尾ソリ２１は、後端面に位置決め用の多数の凹部２１ａを有する棒部２１ｂと、該棒部２１ｂの下端に固定されたソリ部２１ｃで構成され、上記尾ソリ調節部２６に嵌挿され、前後左右方向の移動が規制されるように案内されている。また、上記棒部２１ｂの上端には蝶ナットで固定されるハンドル２８がロータリ軸方向に延設されている。
【００２０】
上記尾ソリ調節部２６は、図３に示すように、上記取付け部材２３の前方両側面にＬ字状長孔２３ｃ，２３ｃがロータリ軸方向に平行してそれぞれ設けられ、該一方の長孔２３ｃを囲むようにコ字状のブラケット２９が上記取付け部材２３に溶接等で固着されている。また、上記ブラケット２９にはピン３０が鉛直方向に嵌合されており、該ピン３０には、レバー３１が上下方向に所定量移動自在及び水平方向に回転自在に嵌挿され、該レバー３１は上記取付け部材２３のＬ字状長孔２３ｃ，２３ｃを貫通しピン３０の反対側面に延びて握り３１ａが設けられている。
【００２１】
レバー３１の握り３１ａ側にはコイルバネ３２の一端が係止されており、他端は取付け部材２３の上記取付け面２３ａに係止されている。上記レバー３１は、コイルバネ３２により上記Ｌ字状の長孔２３ｃの一端に向けて付勢されており、上記尾ソリ２１の凹部２１ａのいずれか一つに当接して尾ソリ２１の上下方向の位置が決められる。
【００２２】
上記取付け部材２３の作業機調節部２７は、図２及び図３に示すように、該板状部材２３ｂの後方片側面に孔２３ｄが設けられ、同様に孔３３ａの開いたコ字状ブラケット３３が、該孔２３ｄ及び３３ａが耕耘軸方向に一直線になるように取付け部材２３に固着されている。上記孔２３及び３３ａの両孔にはレバー３４が嵌挿され、該レバー３４にはコイルバネ３５が装着されると共に、スナップリング３６と上記ブラケット３３の間に上記コイルバネ３５が縮設されている。
【００２３】
また、上記中空部Ａに設けられた上記補強板２５は、仕切り板部２５ａと、仕切り板部２５ａの両端から屈曲され前方に延びる補強部２５ｂ，２５ｂで構成され、該取付け部材２３の内部に、該仕切り板部２５ａが取付け部材２３の後背面２３ｅと平行かつ後背面２３ｅから所定量離れるように嵌入固着され、平面視矩形状の断面を有する空間Ｂが形成されている。更に、上記後背面２３ｅにはボルト３７が、板状部材２３ｂの上記レバー３４の反対側面には不図示のボルトが、それぞれ嵌合され、それらボルトの締め付けによって上記空間Ｂは、該空間Ｂに嵌挿される円形や矩形などの支持部分を有する各種の作業機の前後左右方向の移動を規制するように形成されており、本実施の形態例では上記尾輪体２２が嵌挿されている。
【００２４】
図２に示すように、尾輪体２２は円筒状で先が屈曲しているパイプ状の支持部２２ａと、回動部２２ｂと、尾輪２２ｃと、で構成されている。また、支持部２２ａの一方側部には、尾輪体２２の位置決め用の穴２２ｄが複数設けられており、該穴２２ｄにレバー３４が嵌入され尾輪体２２が位置決めされる。該尾輪２２ｃは、回動部２２ｂを支点として回動自在であり、該尾輪２２ｃを地面に接地させない非作用姿勢と、該尾輪２２ｃを地面に接地させる作用姿勢とを容易に切換えることができる。
【００２５】
上記構造に基づき、農用管理機１は、エンジン８の出力により走行車輪５及びロータリ爪１３が回転して走行すると共に、土を耕耘して膨軟にする。この際、予め尾ソリ２１の上下方向の位置を、作業者の身長、土壌の質等により多数の凹部２１ａの一個を選択してレバー３１で固定することにより設定して耕耘深さが調節される。
【００２６】
耕耘時には、上記尾輪２２ｃを非作用姿勢にして、後方カバー１６，１６が、ロータリ爪１３が草や土等を後方に飛散してもそれをガードして作業者に直接当たることがないようにすると共に、土の上を滑って移動して膨軟になった土を均平にすることができる。圃場外のコンクリート路やアスファルト路上を路面移動する場合には、尾輪２２ｃを作用姿勢にすることで、作業者がハンドルフレーム１１を持ち上げたりしなくてもロータリ爪１３を路面から離して走行することができるので、作業者の負担が軽減されると共に、路面との接触によるロータリ爪１３の損傷や騒音を防止することができる。
【００２７】
上記尾ソリ２１の上下方向の位置を変更する際には、上記レバー３１を、ピン３０を中心にして水平方向に回転させ凹部２１ａから離脱させ、Ｌ字状長孔２３ｃの曲がり部分に当接して一時的に固定する。更に、上記ハンドル２８を操作して尾ソリ２１を上方または下方に摺動して適宜位置決めし、上記コイルバネ３２の初期位置にレバー３１を戻し凹部２１ａと当接させて、尾ソリ２１を固定する。このようにすることによって、レバー３１とハンドル２８を同時に操作する必要がなく、容易に尾ソリ２１の高さを変更し耕深調整することができる。
【００２８】
また、上記尾輪体２２の上下方向の位置変更をする際には、レバー３４をコイルバネ３５の付勢力に抗してロータリ軸方向に水平移動し上記位置決め用の穴２２ｄから離脱させ、該尾輪体２２を摺動し適宜位置決めする。次いで、該レバー３４から手を離すことでレバー３４がコイルバネ３５の付勢力によって尾輪体２２の位置決め用の穴２２ｄに嵌入固定される。これにより容易に尾輪体２２の高さ調節が可能であると共に、該レバー３４と一体となって移動する上記スナップリング３６が孔３３ａの位置で軸方向に移動不能となるため、レバー３４を紛失しにくくなる。なお、作業機調節部２７に尾輪体２２を装着した実施の形態を説明したが、該尾輪体２２に代えて、作業機調節部２７に、培土器や畝立て器等の作業機を同様に装着することもできる。
【００２９】
上記取付け部材２３は、４つのボルト２４・・・によって着脱自在に支持されて取付け取外しが容易であると共に、例えば尾ソリや抵抗棒を支持していた支持部材から取付け部材２３に換装し尾ソリ２１及び尾輪体２２を案内支持することができる。
【符号の説明】
【００３０】
１  農用管理機
３  ロータリ
５  走行車輪
６  機体
８  エンジン
１４  ロータリカバー
２１  尾ソリ
２３  取付け部材
２５  補強板
２６  尾ソリ調節部
２７  作業機調節部
Ａ  中空部
【図１】
0005802028.tif 000002
【図２】
0005802028.tif 000003
【図３】
0005802028.tif 000004